(57)【要約】【課題】紙容器の構造強度を増加でき、紙容器の開口を封印する不良率を減少できる紙容器用樹脂注入構造を提供する。【解決手段】収容空間と、上面と、を備え、収容空間の周縁には、複数の溝が距離を置いて設けられ、溝は収容空間から上面まで貫通する下金型と、下金型に合せられ、突出ブロックを含み、突出ブロックが収容空間に嵌合され可能である上金型と、を含み、上金型と下金型には、溝と連通するゲートが設けられ、ゲートにより溶融している樹脂が溝に流入可能であり、上金型と下金型には、ゲートと連通するランナーが設けられ、ランナーはスプルー及びエア抜きと連通する。【選択図】図２
0003174853.tif 000002
【実用新案登録請求の範囲】
【請求項１】
収容空間と、上面と、を備え、前記収容空間の周縁には、複数の溝が距離を置いて設けられ、前記溝は前記収容空間から前記上面まで貫通する下金型と、
前記下金型に合せられ、突出ブロックを含み、前記突出ブロックが前記収容空間に嵌合され可能である上金型と、
を含み、
前記上金型と前記下金型には、前記溝と連通するゲートが設けられ、前記ゲートにより、溶融している樹脂が前記溝に流入可能であり、前記上金型と前記下金型には、前記ゲートと連通するランナーが設けられ、前記ランナーはスプルー及びエア抜きと連通することを特徴とする紙容器用樹脂注入構造。
【請求項２】
前記上金型及び前記下金型は加熱装置と連接し、前記加熱装置により前記上金型及び前記下金型が一定の温度に保持されることを特徴とする、請求項１に記載の紙容器用樹脂注入構造。
【請求項３】
前記溝の形状は、４５度に傾斜する三角形を呈することが好ましいことを特徴とする、請求項１に記載の紙容器用樹脂注入構造。
【考案の詳細な説明】
【技術分野】
【０００１】
本考案は、紙容器用樹脂注入構造に関し、特に、下金型に設けられる溝と上金型を合せることにより、溶融している樹脂をガイドして、紙容器の壁と前記壁に隣接する上縁面の連接箇所で複数の支持リブ部を形成し、支持リブ部により、紙容器の構造強度を増加でき、紙容器の開口を封印する不良率を減少できる紙容器用樹脂注入構造に関するものである。
【背景技術】
【０００２】
蓋封印機用の従来の紙容器がより大きい矩形を呈する場合には、壁が外側に拡がって変形し、そして上縁面が上に変形することにより、封印の品質が良くない。その原因は、従来の紙容器の壁及び上縁面は、強度が小さいため、揺れやすく、これにより、封印の金型に従来の紙容器を正確に定位できず、前記紙容器の開口に封印フィルムを溶着するときに、封印を正確に行うことができないことにある。
【考案の概要】
【考案が解決しようとする課題】
【０００３】
本考案の主な目的は、紙容器の構造強度を増加でき、紙容器の開口を封印する不良率を減少できる紙容器用樹脂注入構造を提供することにある。
【課題を解決するための手段】
【０００４】
本考案の紙容器用樹脂注入構造によると、収容空間と、上面と、を備え、収容空間の周縁には、複数の溝が距離を置いて設けられ、溝は収容空間から上面まで貫通する下金型と、
下金型に合せられ、突出ブロックを含み、突出ブロックが収容空間に嵌合され可能である上金型と、
を含み、
上金型と下金型には、溝と連通するゲートが設けられ、ゲートにより、溶融している樹脂が溝に流入可能であり、上金型と下金型には、ゲートと連通するランナーが設けられ、ランナーはスプルー及びエア抜きと連通することを特徴とする。
【０００５】
本考案の紙容器用樹脂注入構造によると、上金型及び下金型は加熱装置と連接し、加熱装置により上金型及び下金型が一定の温度に保持されることを特徴とする。
【０００６】
本考案の紙容器用樹脂注入構造によると、溝の形状は、４５度に傾斜する三角形を呈することが好ましいことを特徴とする。
【考案の効果】
【０００７】
本考案の紙容器用樹脂注入構造によれば、紙容器の構造強度を増加でき、紙容器の開口を封印する不良率を減少できるという効果を有する。
【図面の簡単な説明】
【０００８】
【図１】本考案の一実施例により作製された紙容器の完成品を示す斜視図である。
【図２】本考案の一実施例を示す分解斜視図である。
【図３】本考案の一実施例の操作を示す模式図である。
【図４】本考案の一実施例の射出成形を示す模式図である。
【図５】本考案の一実施例により作製された紙容器の仕掛品を示す斜視図である。
【考案を実施するための形態】
【０００９】
以下、本考案の実施の形態を図面に基づいて説明する。
まず、図１乃至図５を参照する。本考案の一実施例の紙容器用樹脂注入構造は、下金型１０と、上金型２０と、を含む。下金型１０は、収容空間１１と、上面１２と、を備える。収容空間１１の周縁には、複数の溝１３が距離を置いて設けられる。溝１３の形状は、４５度に傾斜する三角形を呈することが好ましい。溝１３は収容空間１１から上面１２まで貫通する。上金型２０は、下金型１０に合せられ、突出ブロック２１を含む。突出ブロック２１は収容空間１１に嵌合され可能である。収容空間１１と突出ブロック２１との形状は、紙容器３の形状に対応する。上金型２０と下金型１０には、溝１３と連通するゲート１４、２４が設けられる。ゲート１４、２４により、溶融している樹脂は溝１３に流入可能である。上金型２０と下金型１０には、ゲート１４、２４とそれぞれ連通するランナー１５、２５が設けられる。ランナー１５、２５はスプルー１６、２６及びエア抜き１７、２７と連通する。上金型２０及び下金型１０は加熱装置（図示せず）と連接する。前記加熱装置により、上金型２０及び下金型１０は一定の温度に保持される。
【００１０】
収容空間１１は紙容器３を収容可能である。紙容器３の四周には、壁３１と上縁面３２が設けられる。型合せているときには、紙容器３の壁３１と上縁面３２が収容空間１１と上面１２にそれぞれ緊密に接触する。射出成形機により、溶融している樹脂がスプルー１６、２６から上金型２０と下金型１０とに注入されているときには、前記加熱装置により、上金型２０及び下金型１０が一定の温度に保持されるため、樹脂がランナー１５、２５、ゲート１４、２４及び溝１３を均一に充満する。溝１３内にあるエアはエア抜き１７、２７から排出される。溝１３内にある樹脂は、紙容器３の壁３１と上縁面３２との反対面と接触するため、樹脂が冷却して型抜くと、紙容器３の壁３１と上縁面３２との反対面に複数の支持リブ部３３が形成される。このように、紙容器３の構造強度を増加でき、紙容器３の開口を封印する不良率を減少できる。
【００１１】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１２】
本考案は、紙容器に適用することができる。
【符号の説明】
【００１３】
３：紙容器
１０：下金型
１１：収容空間
１２：上面
１３：溝
１４：ゲート
１５：ランナー
１６：スプルー
１７：エア抜き
２０：上金型
２１：突出ブロック
２４：ゲート
２５：ランナー
２６：スプルー
２７：エア抜き
３１：壁
３２：上縁面
３３：支持リブ部
【図１】
0003174853.tif 000003
【図２】
0003174853.tif 000004
【図３】
0003174853.tif 000005
【図４】
0003174853.tif 000006
【図５】
0003174853.tif 000007